(57)【要約】【課題】  カテーテルの操作中においても、極めて確実性の高い状態で止血する。【解決手段】  カテーテルＣを通す筒状のメインブランチ４１から、液剤注入用である筒状のサブブランチ４５が分岐したＹコネクタ１において、メインブランチ４１の内部に、筒状で長手方向の圧縮により孔３８の径が縮小し、当該孔３８に通されたカテーテルＣを固定する固定弁２０を設けるとともに、カテーテルＣの通過を包み込み状態で許容し、血液の流出を防止可能な第１止血弁１６および第２止血弁１８を設け、更に、メインブランチ４１の基端側に、長手方向に移動可能な筒状のオープナー１２を設けるとともに、第１止血弁１６のみを、オープナー１２の移動範囲内に配置した。【選択図】  図４
2005261759.tif 000002
【特許請求の範囲】
【請求項１】
カテーテルを通す筒状のメインブランチから、液剤注入用である筒状のサブブランチが分岐したＹコネクタであって、
メインブランチの内部に、筒状で長手方向の圧縮により孔の径が縮小し、当該孔に通されたカテーテルを固定する固定弁を設けるとともに、
カテーテルの通過を包み込み状態で許容し、血液の流出を防止可能な止血弁を複数設け、
更に、メインブランチの基端側に、長手方向に移動可能な筒状のオープナーを設けるとともに、一部の止血弁のみを、オープナーの移動範囲内に配置した
ことを特徴とするＹコネクタ。
【請求項２】
メインブランチの基端側に拡径部を設け、
当該拡径部に、固定弁と複数の止血弁とを配置した
ことを特徴とする請求項１に記載のＹコネクタ。
【請求項３】
少なくとも一部の止血弁を、固定弁に隣接させた
ことを特徴とする請求項１または請求項２に記載のＹコネクタ。
【請求項４】
多条ネジに係るネジ山ないしネジ溝を介してメインブランチに設置され、メインブランチの長手方向周りに回転することで長手方向に移動し、固定弁を圧縮するスクリューを設けた
ことを特徴とする請求項１ないし請求項３の何れかに記載のＹコネクタ。
【発明の詳細な説明】
【技術分野】
【０００１】
本発明は、カテーテルが挿通される筒状のメインブランチと、液剤注入器が接続される筒状のサブブランチとを有するＹコネクタに関する。
【背景技術】
【０００２】
Ｙコネクタの一種として、下記特許文献１のような、メインブランチに固定弁と止血弁とを設置したものが知られている。固定弁は、筒状の弾性体であって、軸方向の圧縮により孔の径が縮むものであり、縮んだ孔によりカテーテルを固定する。止血弁は、カテーテルの通過を包み込み状態で許容するものであり、血液の流出を防止可能である。このＹコネクタによれば、カテーテルを進退操作するため固定弁による固定を解除した場合においても、カテーテルの外側とＹコネクタの内側との間からの血液の流出を、止血弁によって阻止することができる。
【０００３】
【特許文献１】特開２０００−３１６９８６号公報
【発明の開示】
【発明が解決しようとする課題】
【０００４】
しかし、上記のようなＹコネクタでは、万が一止血弁が機能しなくなった場合において、固定弁拡径時の血液の流出を阻止することができない。更に、上記のようなＹコネクタでは、カテーテルの操作性を一時的に向上するために、止血弁を開くオープナーが設けられることが多いが、このオープナーが止血弁を開いたままにしてしまう事態が全く発生しないとは言い切れず、このような事態においても固定弁拡径時の血液の流出を阻止することができない。
【０００５】
そこで、請求項１に記載の発明は、カテーテルの操作中においても、極めて確実性の高い状態で止血することができるＹコネクタを提供することを目的としたものである。
【課題を解決するための手段】
【０００６】
上記目的を達成するために、請求項１に記載の発明は、カテーテルを通す筒状のメインブランチから、液剤注入用である筒状のサブブランチが分岐したＹコネクタであって、メインブランチの内部に、筒状で長手方向の圧縮により孔の径が縮小し、当該孔に通されたカテーテルを固定する固定弁を設けるとともに、カテーテルの通過を包み込み状態で許容し、血液の流出を防止可能な止血弁を複数設け、更に、メインブランチの基端側に、長手方向に移動可能な筒状のオープナーを設けるとともに、一部の止血弁のみを、オープナーの移動範囲内に配置したことを特徴とするものである。
【０００７】
請求項２、あるいは請求項３に記載の発明は、上記目的に加えて、Ｙコネクタを低コストでコンパクトに形成する目的を達成するため、メインブランチの基端側に拡径部を設け、当該拡径部に、固定弁と複数の止血弁とを配置したり、少なくとも一部の止血弁を、固定弁に隣接させたりすることを特徴とするものである。
【０００８】
請求項４に記載の発明は、上記目的に加えて、止血性能を維持しながらカテーテルの操作性能を向上する目的を達成するため、多条ネジに係るネジ山ないしネジ溝を介してメインブランチに設置され、メインブランチの長手方向周りに回転することで長手方向に移動し、固定弁を圧縮するスクリューを設けたものである。
【発明の効果】
【０００９】
本発明によれば、確実性に優れる止血が行え、血液の流出を必要以上に気に留めることなく施術を行うことができ、施術後の療養期間の長期化を防止することができる、という効果を奏する。
【発明を実施するための最良の形態】
【００１０】
以下、本発明の実施形態、および主に当該形態に基づく変更例につき、図面に基づいて説明する。なお、本発明は、これら形態や変更例に限定されるものではない。
【００１１】
図１は当該形態に係るＹコネクタ１の説明図、図２はＹコネクタ１の断面説明図であって、Ｙコネクタ１は、筒状の主軸部２および分岐部４を有する本体６と、主軸部２の先端側に配置されるロテーター８と、主軸部２の基端側に配置されるスクリュー１０、オープナー１２、プッシャー１４、第１止血弁１６、第２止血弁１８、および固定弁２０とを有する。
【００１２】
本体６の主軸部２は、基端部に拡径部２１を有する孔２２を備えている。また、分岐部４は孔２２に通ずる孔２３を有しており、分岐部４の主軸部２側の一端４ａは主軸部２先端側に配置されていて、当該一端４ａから基端側へ延びる他端４ｂは、液剤注入器等と接続可能に形成されている。ロテーター８は、二重筒状であり、主軸部２の長手方向周りの回転を可能とした状態で主軸部２先端縁に接続され、内孔２４の外側であって外穴２５の内側においてガイディングカテーテルＧを接続可能となっている。
【００１３】
スクリュー１０は、図３（ａ）にも示すように、先端側の内面にネジ溝２６を有し、基端側に長手方向とほぼ直交する垂直内面２７を有する筒状の部材であり、主軸部２の拡径部２１外側に形成されたネジ山２８と噛み合っている。なお、主軸部２の基端側を拡大して示す図３（ｂ）に現れるように、ネジ山２８は、二条ネジとして形成されている。また、ネジ溝２６は、ネジ山２８に対応して形成されている。更に、ネジ山２８（ネジ溝２６）のピッチは、０．９５０〜１．０５０ｍｍ（ミリメートル）という好ましい範囲内である１．００ｍｍ前後とされている。
【００１４】
オープナー１２は、孔３０を有する筒状の部材であり、基端に盤状部３２を備えていて、先端側がスクリュー１０の後端側に入っており、長手方向に沿って移動可能になっている。プッシャー１４は、主軸部２の長手方向に沿った移動が可能な状態で、スクリュー１０および拡径部２１に入る筒状の部材であり、基端がスクリュー１０の垂直内面２７に接している。また、プッシャー１４は、基端縁に拡径した弁受入部３４を有する孔３６を備えている。
【００１５】
第１止血弁１６は、ほぼ中央に図示しないスリットを設けた板状の弾性体（例えばシリコンゴム）であり、プッシャー１４の弁受入部３４に、長手方向にほぼ垂直な状態ではめ込まれている。第１止血弁１６は、オープナー１２の先端側の移動範囲内に配置されており、オープナー１２が最も基端側にある場合に、第１止血弁１６の基端がオープナー１２の先端に接するように配置されている。
【００１６】
第２止血弁１８は、比較的に薄い点を除き第１止血弁１６と同様になる弾性体であり、プッシャー１６の先端に隣接し、長手方向にほぼ垂直になるように配置されている。固定弁２０は、筒状の弾性体（例えばシリコンゴム）であり、第２止血弁１８の先端に隣接して、孔３８が長手方向に沿うように、主軸部２の拡径部２１の内部先端側に設置されている。孔３８は、主軸部２の孔２２およびプッシャー１４の孔３６と連続している。
【００１７】
なお、ロテーター８、本体６の主軸部２、スクリュー１０、オープナー１２、およびプッシャー１４は、一連の内孔２４、および孔２２，３０，３６よりなる孔４０を有するメインブランチ４１を構成している。また、本体６の分岐部４は、孔２３のみからなる液剤注入用の孔４４を有するサブブランチ４５を構成している。更に、第１止血弁１６、第２止血弁１８、および固定弁２０は、メインブランチ４１の内部に配置されたものとなっている。
【００１８】
このようになるＹコネクタ１は、次のように動作する。即ち、図４に示すように、メインブランチ４１の孔４０に設置された第１止血弁１６および第２止血弁１８は、この孔に通されるカテーテルＣの通過を、各スリットにおいて包み込み状態で許容する。
【００１９】
また、図５に示すように、第１止血弁１６は、オープナー１２の移動範囲内に配置されており、オープナー１２の先端側への移動によってスリットが広げられ、カテーテルＣを包み込み状態から脱させることができる。
【００２０】
更に、メインブランチ４１の孔に設置された固定弁２０は、基端側において、第２止血弁１８を介してプッシャー１４に近接しており、プッシャー１４の先端側への移動によって長手方向に圧縮されることで、自身の孔３８にはみ出し、孔３８の径を縮小する。このはみ出す量は、プッシャー１４の移動量によって調節することができ、従って孔３８の径、あるいは孔３８に入ったカテーテルＣに対する圧力を調整することができる。なお、プッシャー１４の移動は、スクリュー１０を回すことで行われる。スクリュー１０は、回転操作を受けると、ネジ溝２６およびネジ山２８を介して主軸部２に対し長手方向に移動し、垂直内面２７を介してプッシャー１４を移動させる。
【００２１】
以上のＹコネクタ１は、カテーテルＣの操作時のように、カテーテルＣをメインブランチ４１の孔４０に通しているが固定弁２０によって固定していない場合にも、孔４０におけるカテーテルＣの外側からの出血を、第１止血弁１６および第２止血弁１８において防止することができる。ここで、Ｙコネクタ１は、第１止血弁１６と第２止血弁１８とを有するので、万が一一方の止血弁が機能しない事態が生じても、他方の止血弁においてなお止血を実行することができる。また、Ｙコネクタ１は、カテーテルＣが固定弁２０によって固定されていない場合において、一時的な操作性向上のために第１止血弁１６がオープナー１２によって開かれるときにも、第２止血弁１８によって止血をすることができ、オープナー１２の使用時、あるいは万が一のオープナー１２による誤った第１止血弁１６の開放時に、止血を確保することができる。
【００２２】
なお、Ｙコネクタ１において、オープナー１２の移動範囲に第１止血弁１６しか配置されず第２止血弁１８が配置されない（オープナー１２が第１止血弁１６のみ開放可能である）ため、あるいは第２止血弁１８が第１止血弁１６に比べて薄く形成されているため、第１止血弁１６において十分な止血性能を確保しながら、第１止血弁１６のオープナー１２による開放時におけるカテーテルＣの操作性を良好にすることができる。また、第２止血弁１８は、主軸部２の拡径部２１内に配置され、あるいは固定弁２０に隣接して（基端側に）配置されているため、止血弁が複数（弁が３個以上）であってもコンパクトに設置することができ、また主軸部２の形状に大幅な変更を加えずに済むため設置コストを低減することができる。
【００２３】
更に、主軸部２とスクリュー１０とは、多条ネジに係るネジ溝２６とネジ山２８とで合わさっているため、スクリュー１０をさほど回転させなくても固定弁２０によるカテーテルＣの固定を行うことができ、素早い固定を可能としている。ここで、ネジ山２８（ネジ溝２６）のピッチを、０．９５０〜１．０５０ｍｍとし、ネジ溝２６とネジ山２８とを二条ネジに係るものとすると、固定弁２０の孔３８の径（あるいは固定圧）の微調整が十分可能な状態で素早い固定が可能となり、スクリュー１０の回転角と孔３８の径の関係、あるいは更にネジ溝２６とネジ山２８の加工性が、バランスのとれたものとなる。
【００２４】
なお、主に上記形態に基づく変更例につき、以下に示す。オープナーを省略する。各止血弁のスリットの代わりに、ピンホール、Ｕ字状の舌片等を設ける。また、止血弁を３個以上設ける。この場合、一層止血性を確実なものとすることができるし、固定弁の両端およびプッシャーの基端側に配置すると、更にコストの低減ないしはコンパクト化を図ることができる。
【００２５】
また、固定弁や止血弁の配置を、メインブランチにおいて様々に変更する。メインブランチを、単一あるいはより少ない部材で構成したり、より多い部材で構成したり、サブブランチを複数の部材で構成したり、本体のメインブランチ部分とサブブランチ部分を別部材で構成したりする。止血弁と固定弁とを一体に形成する。
【図面の簡単な説明】
【００２６】
【図１】本発明のＹコネクタを示す説明図である。
【図２】図１の中央断面説明図である。
【図３】図１における（ａ）スクリューの中央断面拡大説明図、（ｂ）本体主軸部の基端側の拡大説明図である。
【図４】図２において、カテーテルを通し、更に固定弁を作動させた場合の説明図である。
【図５】図２において、カテーテルを通し、更にオープナーを作動させた場合の説明図である。
【符号の説明】
【００２７】
１    Ｙコネクタ
２    主軸部
４    分岐部
６    本体
８    ロテーター
１０    スクリュー
１２    オープナー
１４    プッシャー
１６    第１止血弁
１８    第２止血弁
２０    固定弁
４０    孔
４１    メインブランチ
４５    サブブランチ
Ｃ    カテーテル
Ｇ    ガイディングカテーテル
【図１】
2005261759.tif 000003
【図２】
2005261759.tif 000004
【図３】
2005261759.tif 000005
【図４】
2005261759.tif 000006
【図５】
2005261759.tif 000007